(57)【要約】【課題】保護窓に付着した水滴を瞬時に除去する。【解決手段】防水加工が施された筐体４と、前記筐体に設けられた撮影レンズ６と、前記筐体において前記撮影レンズの近傍に設けられたエアポンプ８とを備える防水カメラ２であって、前記エアポンプは、空気を吸気する吸気部２４ａと、前記吸気部を介して吸気された空気を前記撮影レンズの表面に排出する排出部２４ｂとを備える。【選択図】図１
2015138250.tif 000002
【特許請求の範囲】
【請求項１】
防水加工が施された筐体と、
前記筐体に設けられた撮影レンズと、
前記筐体において前記撮影レンズの近傍に設けられたエアポンプと
を備える防水カメラであって、
前記エアポンプは、
空気を吸気する吸気部と、
前記吸気部を介して吸気された空気を前記撮影レンズの表面に排出する排出部と
を備えることを特徴とする防水カメラ。
【請求項２】
前記排出部の排出口を開閉する開閉栓を備え、
前記開閉栓により前記排出口が開放された場合に前記排出部から空気が排出されることを特徴とする請求項１記載の防水カメラ。
【請求項３】
前記筐体が水中から出たことを検出する水検出部と、
前記水検出部により前記筐体が水中から出たことが検出された場合に、前記開閉栓により前記排出口を開放する開閉制御部と
を備えることを特徴とする請求項２記載の防水カメラ。
【請求項４】
被写体光を撮像する撮像素子と、
前記撮像素子からの出力に基づく画像データに水滴像が含まれるか否かを検出する水滴検出部と、
前記水滴検出部により前記画像データに水滴像が含まれることが検出された場合に、前記開閉栓により前記排出口を開放する開閉制御部と
を備えることを特徴とする請求項１〜３の何れか一項に記載の防水カメラ。
【請求項５】
前記エアポンプにより前記吸気部を介して吸気された空気を前記筐体内に供給する供給口と、
前記供給口を介して前記筐体内に供給された空気の圧力を測定する圧力センサと、
前記圧力センサにより測定された前記筐体内の空気の圧力が所定の閾値を超えた場合にその旨を報知する報知部と
を備えることを特徴とする請求項１〜３の何れか一項に記載の防水カメラ。
【請求項６】
前記開閉栓により前記排出口が閉塞された場合に前記吸気部を介した吸気を開始する吸気制御部と
を備えることを特徴とする請求項２〜５の何れか一項に記載の防水カメラ。
【請求項７】
前記撮影レンズを保護する保護窓を備え、
前記排出部は、前記保護窓の表面に空気を排出することを特徴とする請求項１〜６の何れか一項に記載の防水カメラ。
【請求項８】
前記保護窓には撥水加工が施されていることを特徴とする請求項７記載の防水カメラ。
【発明の詳細な説明】
【技術分野】
【０００１】
本発明は、防水カメラに関するものである。
【背景技術】
【０００２】
従来、撮影レンズの近傍にワイパーを備え、ＡＦ／ＭＦの切換えの際にワイパーを摺動させて撮影レンズの保護窓に付着した水滴を除去する防水カメラが知られている（例えば、特許文献１参照）。また、フォーカス駆動に連動させてレンズを振動させ、レンズに付着した水滴を除去するカメラ用防滴装置が知られている。
【先行技術文献】
【特許文献】
【０００３】
【特許文献１】実開昭６３−０７４６２５号公報
【発明の概要】
【発明が解決しようとする課題】
【０００４】
しかし、上述の防水カメラ、及び上述のカメラ用防滴装置においては、保護窓やレンズに付着した水滴を瞬時に除去することができないという問題があった。
【０００５】
本発明の目的は、保護窓に付着した水滴を瞬時に除去する防水カメラを提供することである。
【課題を解決するための手段】
【０００６】
本発明の防水カメラは、防水加工が施された筐体と、前記筐体に設けられた撮影レンズと、前記筐体において前記撮影レンズの近傍に設けられたエアポンプとを備える防水カメラであって、前記エアポンプは、空気を吸気する吸気部と、前記吸気部を介して吸気された空気を前記撮影レンズの表面に排出する排出部とを備えることを特徴とする。
【発明の効果】
【０００７】
本発明の防水カメラによれば、保護窓に付着した水滴を瞬時に除去することができる。
【図面の簡単な説明】
【０００８】
【図１】第１の実施の形態に係るデジタルカメラを前面から視た図である。
【図２】第１の実施の形態に係るデジタルカメラを側方から視た図である。
【図３】第１の実施の形態に係るデジタルカメラの断面を示す図である。
【図４】第１の実施の形態に係るデジタルカメラのシステム構成を示すブロック図である。
【図５】第１の実施の形態に係るデジタルカメラの保護窓に付着した水滴を除去するまでの操作手順を示すフローチャートである。
【図６】第２の実施の形態に係るデジタルカメラを前面から視た図である。
【図７】第２の実施の形態に係るデジタルカメラの断面を示す図である。
【図８】第２の実施の形態に係るデジタルカメラのシステム構成を示すブロック図である。
【図９】第２の実施の形態に係るデジタルカメラの水中撮影モードの処理を示すフローチャートである。
【図１０】第２の実施の形態に係るデジタルカメラの雨天撮影モードの処理を示すフローチャートである。
【図１１】実施の形態に係る撮影レンズにフードを取付けた状態を示す図である。
【発明を実施するための形態】
【０００９】
以下、図面を参照して第１の実施の形態に係るデジタルカメラについて説明する。図１は、第１の実施の形態に係るデジタルカメラを前面から視た図であり、図２は、これを側方から視た図である。なお、以下の説明においてはＸＹＺ直交座標系を設定し、必要に応じて適宜このＸＹＺ直交座標系を参照する。ＸＹＺ直交座標系は、図１、２に示すように、ＸＹ平面がデジタルカメラを載置する水平面に平行な面に設定され、Ｚ軸が鉛直上方向に設定される。
【００１０】
デジタルカメラ２は、所定の防水加工が施された筐体４を備え、筐体４の前面（＋Ｙ方向側の面）には、撮影レンズ６、筐体４内に空気を供給する円筒形状のエアポンプ８、エアポンプ８の排気口２４ｂ（図３参照）を開閉する開閉栓１０、ＬＥＤ光を発光するＬＥＤ１２、及びフラッシュ窓１３が設けられている。ここで、撮影レンズ６の前面には撥水加工が施された保護窓１４が備えられている。
【００１１】
また、筐体４の上面には、電源ボタン１６、及びシャッタボタン１８が設けられ、筐体４の側面には、エアポンプ８のハンドル３０（図３参照）を係止する係止ノブ２２が設けられている。なお、電源ボタン１６、及びシャッタボタン１８は、それぞれ図示しない開口部に気密状態で取り付けられている。
【００１２】
図３は、デジタルカメラ２を図１に示すＡ−Ａ断面で切断した状態を下方（−Ｚ方向）から視た図である。図３に示すように、エアポンプ８は金属製のシリンダ２４の内部にピストン２５を備えている。ここで、シリンダ２４内部は、ピストン２５によってポンプ室２６と補助空間２８とに二分され、ポンプ室２６の内部には、ピストン２５を常時−Ｘ方向に付勢するピストンバネ３２が配置されている。また、ピストン２５は、可動軸２９を介してハンドル３０と連結されている。
【００１３】
また、シリンダ２４の＋Ｙ方向側の側壁には、外気の吸気を行う吸気口２４ａが設けられ、シリンダ２４の＋Ｘ方向側の側壁には、ポンプ室２６内の空気を排気する排気口２４ｂが設けられている。また、シリンダ２４の側壁の−Ｙ方向側には、筐体４の壁部を貫通しポンプ室２６内の空気を筐体４内に供給する供給口２４ｃが設けられている。ここで、吸気口２４ａ、及び排気口２４ｂには、それぞれ防水透湿性素材によって形成された図示しない逆止弁が内蔵されている。
【００１４】
また、筐体４内壁面の＋Ｘ方向側には、筐体４内の空気圧を計測する圧力センサ３３が配置されている。
【００１５】
図４は、第１の実施の形態に係るデジタルカメラ２の構成を示すブロック図である。デジタルカメラ２は、ＣＰＵ３４を備え、ＣＰＵ３４には、操作部３６、ＬＣＤ表示部３８の表示を制御する表示制御部４０、被写体光を撮像する撮像素子４２、撮像素子４２により撮像された画像データを記憶する画像記憶部４４、圧力センサ３３、ＬＥＤ光源４５の点滅を制御する照明制御部４６、及び係止ノブ２２がハンドル３０から外れたことを検知する検知部４８が接続されている。ここで、操作部３６には、電源スイッチ１６、及びシャッタボタン１８等が含まれている。
【００１６】
次に、図５に示すフローチャートを参照して、保護窓１４に付着した水滴を除去するまでのデジタルカメラ２の操作手順について説明する。まず、初期の状態において、図１に示すように、開閉栓１０が排気口２４ｂを閉塞する位置に位置している。また、図２に示すように、係止ノブ２２によりハンドル３０が係止され、シリンダ２４内においてポンプ室２６の容積が最少となる位置にピストン２５が収納されている。
【００１７】
ここで、水中撮影を行う操作者により、係止ノブ２２が−Ｙ方向にスライドされると（ステップＳ１）、係止ノブ２２がハンドル３０から外れ、ピストンバネ３２の復元力によりピストン２５が−Ｘ方向に移動する。これにより、ポンプ室２６内に負圧が生じて吸気口２４ａから空気が吸気され（ステップＳ１１）、吸気された空気がポンプ室２６内に供給される。なお、ＣＰＵ３４は、検知部４８により係止ノブ２２がハンドル３０から外れたことを検知すると、圧力センサ３３により筐体４内の空気圧の測定を開始する。
【００１８】
次に、操作者がハンドル３０を＋Ｘ方向に押圧し（ステップＳ２）、ピストン２５を＋Ｘ方向に移動させると、ポンプ室２６内の空気が圧縮され、供給口２４ｃを介して筐体４内に供給される（ステップＳ１２）。このため、操作者によるハンドル３０の操作により、ピストン２５の±Ｘ方向への移動が繰り返されると、筐体４内の空気圧が次第に上昇する。
【００１９】
次に、圧力センサ３３により計測された空気圧が所定の閾値を超えると、ＣＰＵ３４は、ＬＥＤ１２を点灯し、水中撮影の準備ができたことを操作者に報知する。
【００２０】
次に、操作者は、水中に移動し、デジタルカメラ２を用いて水中撮影を行う。この場合、ポンプ室２６から供給された空気によって筐体４内が高圧になるため、筐体４に作用する水圧と筐体４内の空気圧とに圧力差が生じることが抑制される。このため、電源ボタン１６やシャッタボタン１８等が常時水圧によって押圧された状態となることが防止され、水中撮影時にボタンの操作不具合が生じないようにすることができる。
【００２１】
水中撮影が終了し水中から出た操作者により、開閉栓１０が下方向（−Ｚ方向）にスライドされ（ステップＳ３）、排気口２４ｂから開閉栓１０が外れると、筐体４内の空気が供給口２４ｃ、及びポンプ室２６内を介して排気口２４ｂから排気される（ステップＳ１３）。次に、排気口２４ｂから排気された空気が保護窓１４に吹き付けられ、保護窓１４に付着している水滴が瞬時に除去される。
【００２２】
この第１の実施の形態に係るデジタルカメラ２によれば、保護窓１４に空気を吹き付けることにより、保護窓１４に付着した水滴を瞬時に除去することができる。また、水中撮影が終了した操作者は、開閉栓１０をスライドさせることにより保護窓１４に付着した水滴を容易に除去することができる。
【００２３】
次に、第２の実施の形態に係るデジタルカメラについて説明する。この第２の実施の形態に係るデジタルカメラは、第１の実施の形態において、水滴を除去するまでに操作者が手動で行う操作を軽減したものである。従って、第２の実施の形態では、第１の実施の形態と異なる処理について詳細に説明し、重複する部分については適宜説明を省略する。また、第２の実施の形態の説明においては、第１の実施の形態に係るデジタルカメラ２の構成と同一の構成には、第１の実施の形態の説明で用いたのと同一の符号を用いて説明を行なう。
【００２４】
図６は、第２の実施の形態に係るデジタルカメラを前面から視た図であり、図７は、これを図６に示すＢ−Ｂ断面で切断した状態を下方（−Ｚ方向）から視た図である。図６、７に示すように、デジタルカメラ５２は、金属製のタンク５４を有するエアポンプ５８を備えている。タンク５４の側壁には、吸気口５４ａ、排気口５４ｂ、供給口５４ｃが設けられ、タンク５４の内部には、タンク５４内の空気圧を計測する空気圧センサ６３が設けられている。ここで、タンク５４の吸気口５４ａには、外気を取り込むファン５４ｄが設けられている。また、筐体４の内壁面には、供給口５４ｃの開閉を行う開閉蓋６４が設けられている。
【００２５】
図８は、デジタルカメラ５２のシステム構成を示すブロック図である。図８に示すように、デジタルカメラ５２において、ＣＰＵ３４には、空気圧センサ６３、ファン５４ｄの駆動制御を行う駆動制御部７０、開閉栓１０の開閉を制御する栓制御部７２、開閉蓋６４の開閉を制御する蓋制御部７４、及びデジタルカメラ２が水中にあるか否かを判定する水検出センサ７６、及び撮像素子４２により撮影された画像データに含まれる水滴像を認識する水滴認識部７８が接続されている。
【００２６】
ここで、水検出センサ７６は、図示しない＋電極及び−電極を備えており、ＣＰＵ３４は、この電極間に流れた電流を検出することによりデジタルカメラ５２が水中にあるか否かを判定する。また、操作部３６には、水中での撮影を行う水中撮影モード、または雨天時に撮影を行う雨天撮影モードを設定する図示しないモードボタン等が含まれている。
【００２７】
次に、図９に示すフローチャートを参照して、保護窓１４に付着した水滴を除去するまでのデジタルカメラ５２の処理について説明する。まず、モードボタンが操作され、デジタルカメラ５２の撮影モードが水中撮影モードに移行すると（ステップＳ２１）、ＣＰＵ３４は、栓制御部７２により開閉栓１０を上方（＋Ｚ方向）にスライドさせて排気口５４ｂを閉塞する（ステップＳ２２）。また、ＣＰＵ３４は、蓋制御部７４により開閉蓋６４を−Ｘ方向にスライドさせて供給口５４ｃを開放する（ステップＳ２３）。
【００２８】
次に、ＣＰＵ３４は、駆動制御部７０によりファン５４ｄを駆動させて吸気口５４ａから吸気を行い（ステップＳ２４）、タンク５４内に空気を供給する。タンク５４内に供給された空気は、供給口５４ｃを介して筐体４に供給される。次に、ＣＰＵ３４は、圧力センサ３３により筐体４内の空気圧の測定を開始する。そして、空気圧が所定の閾値を超えると（ステップＳ２５）、ＣＰＵ３４は、駆動制御部７０によりファン５４ｄを停止させると共に、ＬＥＤ１２を点灯し水中撮影の準備ができたことを操作者に報知する。
【００２９】
次に、操作者は、水中に移動し、デジタルカメラ５２を用いて水中撮影を行う。ここで、水検出センサ７６により、デジタルカメラ２が水中に入ったことが検出される。次に、水中撮影が終了し操作者が水中から出ると、水検出センサ７６により、デジタルカメラ５２が水中から出たことが検出される（ステップＳ２６）。デジタルカメラ５２が水中から出て所定の時間が経過すると、ＣＰＵ３４は、栓制御部７２により開閉栓１０を下方（−Ｚ方向）にスライドさせて排気口５４ｂを開放する（ステップＳ２７）。これにより、筐体４内の空気が供給口５４ｃ、及びタンク５４内を介して排気口５４ｂから排気され、保護窓１４に吹き付けられる。保護窓１４に付着している水滴は、排気口５４ｂから吹き付けられた空気によって瞬時に除去される。
【００３０】
この第２の実施の形態に係るデジタルカメラ５２によれば、水中モードに移行させるだけで、吸気から排気までの一連の処理がＣＰＵ３４によって行われるため、操作者の操作負担を軽減することができる。
【００３１】
次に、図１０に示すフローチャートを参照して、第２の実施の形態における雨天撮影モードの処理について説明する。まず、撮像素子４２によりスルー画像の撮影が開始され、モードボタンが操作されて雨天撮影モードに移行すると（ステップＳ３１）、ＣＰＵ３４は、開閉栓１０を上方（＋Ｚ方向）にスライドさせて排気口５４ｂを閉塞する（ステップＳ３２）。また、ＣＰＵ３４は、開閉蓋６４を＋Ｘ方向にスライドさせて供給口２４ｃを閉塞する（ステップＳ３３）。
【００３２】
次に、ＣＰＵ３４は、駆動制御部７０によりファン５４ｄを駆動させて吸気口５４ａから吸気を行い（ステップＳ３４）、タンク５４内に空気を供給する。次に、ＣＰＵ３４は、空気圧センサ６３によりタンク５４内の空気圧の測定を開始する。そして、空気圧が所定の閾値を超えると（ステップＳ３５）、ＣＰＵ３４は、駆動制御部７０によりファン５４ｄを停止させると共に、ＬＥＤ１２を点灯して雨天時での撮影準備ができたことを操作者に報知する。
【００３３】
次に、ＣＰＵ３４は、水滴認識部７８により、スルー画像撮影時に順次画像記憶部４４から読み出される画像データからの水滴像の認識を開始する。画像データから水滴像が認識された場合（ステップＳ３６）、ＣＰＵ３４は、栓制御部７２により開閉栓１０を下方（−Ｚ方向）にスライドさせて排気口５４ｂを開放し（ステップＳ３７）、排気口５４ｂから排気された空気を保護窓１４に吹き付ける。
【００３４】
次に、排気口５４ｂから吹き付けられた空気によって保護窓１４に付着している水滴が除去され、画像データから水滴像が認識されなくなると、ＣＰＵ３４は、栓制御部７２により開閉栓１０を上方（＋Ｚ方向）にスライドさせて排気口５４ｂを閉塞し、再度ファン５４ｄを駆動させて吸気口５４ａから吸気を行う。以降、ＣＰＵ３４は、画像データから水滴像が認識される度に開閉栓１０による排気口５４ｂの開放閉塞、及び吸気口５４ａからの吸気を繰り返す。
【００３５】
これにより、操作者は、雨が保護窓１４に付着することを心配することなく気軽に撮影を行うことができる。なお、雨天撮影モードにおける操作は、操作者が手動で行うようにしてもよい。例えば、操作者は、ＬＣＤ表示部１２に表示されたスルー画像を見ながら保護窓１４に水滴が付着したか否かを確認し、保護窓１４に水滴が付着している場合には、開閉栓１０を下方向にスライドさせて排気口５４ｂから空気を排気させる。また、開閉蓋６４を操作するレバー、及びファン５４ｄを駆動させる駆動ボタンをデジタルカメラ５２に設け、これらを操作することにより、操作者が手動で供給口２４ｃの開放閉塞、ファン５４ｄの駆動開始操作を行ってもよい。
【００３６】
また、上述の各実施の形態において、保護窓１４を備えず、撮影レンズ６のレンズ面に付着した水滴を除去するようにしてもよい。
【００３７】
また、図１１に示すように、デジタルカメラに保護窓１４を囲む形状のフード８０を備えてもよい。この場合、排気口２４ｂから排気された空気がフード８０の内壁面で反射されることにより、複数方向からの空気が保護窓１４に吹き付けられるため、保護窓１４に付着した水滴をまんべんなく除去することができる。
【００３８】
また、上述の各実施の形態において、エアポンプ８、５８に代えて、ジャバラ型エアポンプやゴム製ブロア等をデジタルカメラ２、５２に搭載し、操作者が適宜ジャバラ型エアポンプやゴム製ブロア等を操作することにより保護窓１４に空気を吹き付けてもよい。
【００３９】
また、上述の各実施の形態において、シリンダ２４やタンク５４は必ずしも金属製である必要はなく、金属以外の他の部材で形成されていてもよい。
【符号の説明】
【００４０】
２、５２…デジタルカメラ、４…筐体、６…撮影レンズ、８…エアポンプ、１０…開閉栓、１２…ＬＥＤ、１４…保護窓、１６…電源ボタン、１８…シャッタボタン、２２…係止ノブ、２４…シリンダ、２４ａ、５４ａ…吸気口、２４ｂ、５４ｂ…排気口、２４ｃ、５４ｃ…供給口、２５…ピストン、２６…ポンプ室、３３…圧力センサ、３４…ＣＰＵ、４２…撮像素子、５４ｄ…ファン、７０…駆動制御部、７２…栓制御部、７４…蓋制御部、７６…水検出センサ
【図１】
2015138250.tif 000003
【図２】
2015138250.tif 000004
【図３】
2015138250.tif 000005
【図４】
2015138250.tif 000006
【図５】
2015138250.tif 000007
【図６】
2015138250.tif 000008
【図７】
2015138250.tif 000009
【図８】
2015138250.tif 000010
【図９】
2015138250.tif 000011
【図１０】
2015138250.tif 000012
【図１１】
2015138250.tif 000013